(57)【要約】【課題】画像表示プロジェクタ装置において、装置本体に収容可能なチルト調整脚部によって装置本体の傾きを容易かつ迅速に調整でき、かつ、さらに、と共に、チルト調整脚部の荷重耐性を確保できるようにする。【解決手段】チルト調整脚部３は、回動軸９を中心として回動することにより装置本体の底面４ａに対して略平行な第１の姿勢と略垂直な第２の姿勢をとる。装置本体の底部４にはチルト調整脚部３を第１の姿勢で収納する第１の収納凹部１１と、第２の姿勢で収納する第２の収納凹部１２と、回動軸９を案内するガイド溝１５が形成され、第２の収納凹部１２の終端には、外筒部材６の基端部６ｂ又は回動軸９と当接する脚支持部１６が形成される。チルト調整脚部３の回動により、装置本体の傾き調整が可能となり、脚支持部１６によってチルト調整脚部３にかかる荷重が支持される。【選択図】        図４
2005037474.tif 000002
【特許請求の範囲】
【請求項１】
装置本体の底部の前部に設けられ、装置本体が載置される載置面の方向に伸縮することにより、前記載置面に対する装置本体の傾きを調整するチルト調整脚部を備えた画像表示プロジェクタ装置において、
前記チルト調整脚部は、筒状に形成された外筒部材と、この外筒部材の第１の端部に設けられ、投影方向に対して平行に装置本体に回動自在に支持される回動軸と、前記外筒部材に摺動自在に内挿される内筒部材と、該外筒部材の第２の端部に螺着されることにより該内筒部材を該外筒部材に固定する固定リングとを有しており、前記回動軸を中心として投影方向に直交する面内で回動することにより装置本体の底面に対して略平行な第１の姿勢と略垂直な第２の姿勢をとり、
装置本体は、その底部に設けられ、前記チルト調整脚部を回動させて前記第１の姿勢で収納するための第１の収納凹部と、該チルト調整脚部が該第１の収納凹部に収納されたときに、前記外筒部材の第１の端部に対応する位置から装置本体の高さ方向に向って、該外筒部材を前記第２の姿勢で装置本体の高さ方向に収納する第２収納凹部と、該外筒部材を前記第２の姿勢で前記第２の収納凹部に収納する際に、前記回動軸を案内するガイド溝とを有し、
前記第２の収納凹部は、その終端に、前記外筒部材の第１の端部又は前記回動軸と当接することにより該チルト調整脚部を支持する脚支持部を有し、
前記チルト調整脚部の外筒部材の第２の端部には、前記内筒部材を該外筒部材に固定するために前記固定リングが締結されたとき、外筒部材の第２の端部が内側に変形可能となるように、所定長さの切り欠きが該外筒部材の軸方向に形成されており、
前記固定リングを締結／弛緩しながら前記外筒部材に対して前記内筒部材を出し入れすることにより、前記チルト調整脚部を伸縮させて装置本体の傾きを容易に調整できるようにすると共に、該チルト調整脚部を回動させることにより装置本体に容易に収納でき、かつ、前記第２の姿勢の該チルト調整脚部を脚支持部によって支持することにより該チルト調整脚部の荷重耐性を確保できるようにしたことを特徴とする画像表示プロジェクタ装置。
【請求項２】
装置本体の底部に設けられ、装置本体が載置される載置面の方向に伸縮することにより、載置面に対する装置本体の傾きを調整するチルト調整脚部を備えた画像表示プロジェクタ装置において、
前記チルト調整脚部は、筒状に形成された筒部材と、この筒部材の第１の端部に設けられ、装置本体に回動自在に支持される回動軸とを有しており、この回動軸を中心として回動することにより装置本体の底面に対して略平行な第１の姿勢と略垂直な第２の姿勢をとり、
装置本体は、その底部に設けられ、前記チルト調整脚部を回動させて前記第２の姿勢で収納するための第１の収納凹部と、該チルト調整脚部が該第１の収納凹部に収納されたときの前記筒部材の第１の端部に対応する位置から装置本体の高さ方向に向って、該筒部材を前記第２の姿勢で装置本体の高さ方向に収納する第２の収納凹部と、該筒部材を前記第２の姿勢で前記第２の収納凹部に収納する際に、前記回動軸を案内するガイド溝とを有し、
前記チルト調整脚部を回動させることにより装置本体に容易に収納できるようにしたことを特徴とする画像表示プロジェクタ装置。
【請求項３】
前記第２の収納凹部は、その終端に、前記外筒部材の第１の端部又は前記回動軸と当接することにより前記チルト調整脚部を支持する脚支持部を有し、
前記第２の姿勢の前記チルト調整脚部を脚支持部によって支持することにより該チルト調整脚部の荷重耐性を確保できるようにしたことを特徴とする請求項２に記載の画像表示プロジェクタ装置。
【請求項４】
前記内筒部材は、その外面に所定の凹凸部を有し、
前記外筒部材の第２の端部は、前記固定リングが締結され、該第２の端部が内側に変形されたとき、前記内筒部材の凹凸部と係合する係合爪を有していることを特徴とする請求項１に記載の画像表示プロジェクタ装置。
【発明の詳細な説明】
【０００１】
【発明の属する技術分野】
本発明は、画像表示プロジェクタ装置のチルト調整機構に関するものである。
【０００２】
【従来の技術】
画像表示プロジェクタ装置においては、装置本体の前方に配置されたスクリーンに適切な角度で画像を投影するために、机等の載置面に対する装置本体の傾きを調整するチルト調整機構が備えられている。このチルト調整機構は、装置本体の微妙な傾き調整が可能であること、及び比較的重量の重い装置を支え得る強固な構造であることが要求されている。
【０００３】
そこで、従来より、水平方向に設けられた軸廻りに回転可能なギア機構によって装置本体の支持脚を任意の角度で固定することにより、装置本体の前部の高さを調整して装置本体の傾きを調整するように構成されたチルト調整機構が知られている（例えば、特許文献１参照）。また、装置本体の底部に雌ねじが形成された脚固定具を設け、この脚固定具に雄ねじが形成された支持脚を螺着し、回転させることにより、装置本体の前部の高さを調整するチルト調整機構も知られている（例えば、特許文献２参照）。
【０００４】
【特許文献１】
特開２００１−４２４２３号公報
【特許文献２】
特開平１０−１９０１３号公報
【０００５】
【発明が解決しようとする課題】
しかしながら、上記特許文献１に示されるチルト調整機構においては、支持脚を回転させるためのギア機構が複数のギア及びこれら各ギアの噛合い状態を維持するためのコイルばね等によって構成されているので、装置の構成が複雑となり、その製造コストの高騰を招来する。また、装置の重量が重いので、支持脚にかかる荷重を受ける受け部材を堅牢かつ大柄に設計せざるを得ず、装置の小型化を図ることができない。
【０００６】
また、上記特許文献２に示されるチルト調整機構においては、装置本体の傾きを大幅に変更しなければならないとき、支持脚の回転が煩雑でチルト調整を    迅速に行うことができない。
【０００７】
本発明は、上述した問題点を解決するためになされたものであり、装置の製造コストを低く抑え、小型化が可能であり、装置本体の傾きを大幅に変更しなければならないときであっても、チルト調整脚部によって装置本体の傾きを容易かつ迅速に調整できるようにすると共に、チルト調整脚部を装置本体に容易に収納でき、さらに、チルト調整脚部の荷重耐性を確保できるようにした画像表示プロジェクタ装置を提供することを目的とする。
【０００８】
【課題を解決するための手段】
上記目的を達成するために請求項１の発明は、装置本体の底部の前部に設けられ、装置本体が載置される載置面の方向に伸縮することにより、載置面に対する装置本体の傾きを調整するチルト調整脚部を備えた画像表示プロジェクタ装置において、チルト調整脚部は、筒状に形成された外筒部材と、この外筒部材の第１の端部に設けられ、投影方向に対して平行に装置本体に回動自在に支持される回動軸と、外筒部材に摺動自在に内挿される内筒部材と、該外筒部材の第２の端部に螺着されることにより該内筒部材を該外筒部材に固定する固定リングとを有しており、回動軸を中心として投影方向に直交する面内で回動することにより装置本体の底面に対して略平行な第１の姿勢と略垂直な第２の姿勢をとり、装置本体は、その底部に設けられ、チルト調整脚部を回動させて第１の姿勢で収納するための第１の収納凹部と、該チルト調整脚部が該第１の収納凹部に収納されたときに、外筒部材の第１の端部に対応する位置から装置本体の高さ方向に向って、該外筒部材を第２の姿勢で装置本体の高さ方向に収納する第２収納凹部と、該外筒部材を第２の姿勢で第２の収納凹部に収納する際に、回動軸を案内するガイド溝とを有し、第２の収納凹部は、その終端に、外筒部材の第１の端部又は回動軸と当接することにより該チルト調整脚部を支持する脚支持部を有し、チルト調整脚部の外筒部材の第２の端部には、内筒部材を該外筒部材に固定するために固定リングが締結されたとき、外筒部材の第２の端部が内側に変形可能となるように、所定長さの切り欠きが該外筒部材の軸方向に形成されており、固定リングを締結／弛緩しながら外筒部材に対して内筒部材を出し入れすることにより、チルト調整脚部を伸縮させて装置本体の傾きを容易に調整できるようにすると共に、該チルト調整脚部を回動させることにより装置本体に容易に収納でき、かつ、第２の姿勢の該チルト調整脚部を脚支持部によって支持することにより該チルト調整脚部の荷重耐性を確保できるようにしたものである。
【０００９】
この構成によれば、チルト調整脚部は、装置本体の底面に対して略平行な第１の姿勢と略垂直な第２の姿勢で、装置本体の底部に設けられた第１の収納凹部及び第２の収納凹部に収納される。第１の姿勢から第２の姿勢への切り替えは、第１の収納凹部に収容されているチルト調整脚部を回動軸を中心として略９０゜回動させて起立させ、該回動軸をガイド溝に沿って摺動させながらチルト調整脚部を第２の収納凹部に収納することにより成される。このとき、チルト調整脚部を構成する外筒部材の第１の端部又は回動軸と、第２の収納凹部の終端に設けられた脚支持部とが当接し、チルト調整脚部にかかる荷重が脚支持部によって支持される。また、チルト調整脚部が第２の姿勢をとるとき、固定リングを弛めることにより、外筒部材の内側への変形が緩和されて内筒部材の出し入れが可能となる。従って、外筒部材に対する内筒部材の突き出し長さを調整し、固定リングを締めつけることにより、チルト調整脚部を所望の長さに調整にすることができ、装置本体の傾きを容易かつ迅速に調整することができる。
【００１０】
請求項２の発明は、装置本体の底部に設けられ、装置本体が載置される載置面の方向に伸縮することにより、載置面に対する装置本体の傾きを調整するチルト調整脚部を備えた画像表示プロジェクタ装置において、チルト調整脚部は、筒状に形成された筒部材と、この筒部材の第１の端部に設けられ、装置本体に回動自在に支持される回動軸とを有しており、この回動軸を中心として回動することにより装置本体の底面に対して略平行な第１の姿勢と略垂直な第２の姿勢をとり、装置本体は、その底部に設けられ、チルト調整脚部を回動させて第２の姿勢で収納するための第１の収納凹部と、該チルト調整脚部が該第１の収納凹部に収納されたときの筒部材の第１の端部に対応する位置から装置本体の高さ方向に向って、該筒部材を第２の姿勢で装置本体の高さ方向に収納する第２の収納凹部と、該筒部材を第２の姿勢で第２の収納凹部に収納する際に、回動軸を案内するガイド溝とを有し、チルト調整脚部を回動させることにより装置本体に容易に収納できるようにしたものである。
【００１１】
この構成によれば、チルト調整脚部は、装置本体の底面に対して略平行な第１の姿勢と略垂直な第２の姿勢で、装置本体の底部に設けられた第１の収納凹部及び第２の収納凹部に収納される。第１の姿勢から第２の姿勢への切り替えは、第１の収納凹部に収容されているチルト調整脚部を回動軸を中心として略９０゜回動させて起立させ、該回動軸をガイド溝に沿って摺動させながらチルト調整脚部を第２の収納凹部に収納することにより成される。
【００１２】
請求項３の発明は、請求項２に記載の画像表示プロジェクタ装置において、第２の収納凹部は、その終端に、外筒部材の第１の端部又は回動軸と当接することによりチルト調整脚部を支持する脚支持部を有し、第２の姿勢のチルト調整脚部を脚支持部によって支持することにより該チルト調整脚部の荷重耐性を確保できるようにしたものである。この構成によれば、チルト調整脚部を構成する外筒部材の第１の端部又は回動軸と、第２の収納凹部の終端に設けられた脚支持部とが当接し、チルト調整脚部にかかる荷重が脚支持部によって支持される。
【００１３】
請求項４の発明は、請求項１に記載の画像表示プロジェクタ装置において、内筒部材は、その外面に所定の凹凸部を有し、外筒部材の第２の端部は、固定リングが締結され、該第２の端部が内側に変形されたとき、内筒部材の凹凸部と係合する係合爪を有していることを特徴とするものである。この構成によれば、内筒部材の凹凸部と外筒部材の係合爪との係合により、チルト調整脚部に大きな荷重がかけられたときの外筒部材に対する内筒部材の摺動が防止される。
【００１４】
【発明の実施の形態】
本発明の一実施形態による画像表示プロジェクタ装置について図面を参照して説明する。図１は画像表示プロジェクタ装置の荷重を支え、傾きを調整するチルト調整脚部の使用時における画像表示プロジェクタ装置の正面図を示している。また、図２はチルト調整脚部の未使用時における同装置の底面図を示している。画像表示プロジェクタ装置１は、光源及び光源から出射された光を分光／合成することにより画像を形成する画像形成素子（図示せず）と、画像形成素子が形成した画像を装置本体に前方に配置されたスクリーンに投影するレンズ２と、装置本体の底部４の前部に設けられ、載置面Ｚの方向に伸縮することにより、装置本体の傾きを調整するチルト調整脚部３等によって構成されている。
【００１５】
チルト調整脚部３は、図３に示す回動軸９を中心として投影方向Ａに直交する面内で回動可能であり、画像表示プロジェクタ装置１の使用時には装置本体の底面４ａに略垂直な姿勢（第２の姿勢）で収納され、未使用時には底面４ａに略平行な姿勢（第１の姿勢）で収納される。なお、底部４の後部には、載置面Ｚに接地させるための半球形の凸部５が形成されおり、画像表示プロジェクタ装置１は、２つのチルト調整脚部３と凸部５とによって３点で載置面Ｚに接地される。
【００１６】
図３において、（ａ）はチルト調整脚部３の使用時におけるチルト調整脚部３及びその周辺部を、（ｂ）はチルト調整脚部３の未使用時におけるチルト調整脚部３及びその周辺部をそれぞれ示している。チルト調整脚部３は、筒状に形成された外筒部材６と、外筒部材６の先端部（第２の端部）６ａより摺動自在に内挿された内筒部材７と、内筒部材７を外筒部材６に固定するための固定リング８等によって構成されている。固定リング８は、外筒部材６の先端部６ａに螺着される。一方、外筒部材６の基端部６ｂには（第１の端部）には、装置本体に回動自在に支持される回動軸９が投影方向Ａに対して平行に設けられている。また、内筒部材７の先端には、載置面Ｚに接地される凸状のキャップ部材１０が装着されている。
【００１７】
装置本体の底部４には、チルト調整脚部３を第１の姿勢で収納するための第１の収納凹部１１が底面４ａに対して略平行に形成されている。また、外筒部材６の基端部６ｂに対応する位置から装置本体の高さ方向（装置本体の底面４ａに略垂直な方向）に向っては、チルト調整脚部３を第２の姿勢で収納するための第２の収納凹部１２が形成されている。チルト調整脚部３が第１の収納凹部１１に収納されたとき、第１の収納凹部１１のキャップ部材１０に対向する位置には、キャップ部材１０と当接してチルト調整脚部３の回動を規制するストッパ部材１３が装置本体の底面４ａに平行な方向にスライド自在に設けられている。ストッパ部材１３は、ばね１３ａ（図４参照）によりチルト調整脚部３の方向に付勢されている。また、図４に示すように、装置本体には、チルト調整脚部が第２の姿勢で収納されるとき、回動軸９を装置本体の高さ方向Ｃに摺動自在に案内するガイド溝１５が、回動軸９に対応する位置に設けられており、また、第２の収納凹部１２の終端には、外筒部材９の基端部６ｂ又は回動軸９と当接することによりチルト調整脚部３を支持する脚支持部１６が設けられている。
【００１８】
チルト調整脚部３を第１の姿勢から第２の姿勢に切り替える要領について、図４を参照して説明する。まず、（ａ）に示すように、第１の収納凹部１１に収納されているチルト調整脚部３を回動軸９を中心に矢印Ｂ方向に回動させることにより、チルト調整脚部３を起立させて装置本体の底面４ａから突出させる。次に、（ｂ）に示すように、装置本体の底面４ａから突出されたチルト調整脚部３を矢印Ｃ１方向に押し込むことにより、（ｃ）に示すように、チルト調整脚部３を第２の姿勢で第２の収納凹部１２に収納することができる。このとき、外筒部材６の基端部６ｂ又は回動軸９と、第２の収納凹部１２の脚支持部１６とが当接し、チルト調整脚部３にかかる荷重が脚支持部１６によって支持されることになる。また、画像表示プロジェクタ装置１の使用後、（ｃ）に示した状態から上記とは逆の操作を行うことにより、チルト調整脚部３を第１の姿勢で収納することができる。
【００１９】
このように、チルト調整脚部３を第２の姿勢で収納することにより、装置本体の姿勢を載置面Ｚと略平行にすることができるが、本実施形態によれば、必要に応じて、スクリーンの位置及び載置面Ｚの傾斜に合わせて、各チルト調整脚部３を伸縮させることにより、装置本体の姿勢を調整することができる（図１参照）。
【００２０】
各チルト調整脚部３を伸縮は、図５に示すように、固定リング８を弛めて内筒部材７を矢印Ｃ方向に出し入れすることによりチルト調整脚部３の長さを所望の長さに調整した後、固定リング８を締結することにより行うことができる。
【００２１】
図６はチルト調整脚部３の構造を示している。外筒部材６の先端部６ａの外面には、所定のテーパ２０及び雄ねじ２１が形成されており、固定リング８の内面にはこれらと対応するテーパ２２及び雌ねじ２３が形成されている。また、外筒部材６の先端部６ａには、所定長さの切り欠き２５が外筒部材６の軸方向に形成されており、固定リング８が締め込まれたとき、外筒部材６の先端部６ａが内側に変形して内筒部材７と当接し、内筒部材７が外筒部材６に固定される。また、外筒部材６の先端部６ａに上述したテーパ２０及び切り欠き２５を形成する替わりに、固定リング８の締め込みにより内側に変形するリング部材を別途備えるように構成しても構わない。
【００２２】
上述のごとく構成された画像表示プロジェクタ装置１によれば、簡素な構成のチルト調整脚部３を用いることにより、装置の製造コストを抑えながら、小型化を図ることができる。このチルト調整脚部３は、回動軸９を中心として略９０゜回動させることにより、その姿勢を第１の姿勢から第２の姿勢に切り替えることができるので、チルト調整脚部３を装置の未使用時には第１の収納凹部１１に、使用時には第２の収納凹部１２に容易に収納することができる。しかも、第１の収納凹部に収容された状態ではチルト調整脚部３は装置本体の底面４ａから突出しないので、画像表示プロジェクタ装置１の未使用時の保管に必要以上に場所をとることもない。また、チルト調整脚部３が第２の姿勢をとるとき、チルト調整脚部３にかかる荷重が脚支持部１６によって支持されるので、装置の荷重を支えるために必要な荷重耐性を容易に確保することができる。さらに、固定リング８を弛めることにより、外筒部材６に対する内筒部材７の出し入れが自在となり、固定リング８を締めることによりその固定が可能となる。これにより、装置本体の傾きを容易に調整できるようになり、図１に示されるように、傾斜した載置面Ｚ上であっても、画像表示プロジェクタ装置１の姿勢を略水平にすることができる。
【００２３】
なお、本発明は上記実施形態の構成に限られることなく種々の変形が可能であり、例えば、図７に示されるように、チルト調整脚部３は、外面に所定の凹凸部２７が形成された内筒部材７と、固定リング８が締結されて先端部６ａが内側に変形されたとき、内筒部材７の凹凸部２７と係合する係合爪２８が先端部６ａの内面に形成された外筒部材６とによって構成されていてもよい。このようなチルト調整脚部３を用いれば、内筒部材７の凹凸部２７が外筒部材６の係合爪２８に係合しているので、チルト調整脚部３に大きな荷重がかけられたときの外筒部材６に対する内筒部材７の摺動が防止され、画像表示プロジェクタ装置１の姿勢を維持することができる。
【００２４】
【発明の効果】
以上のように請求項１の発明によれば、簡素な構成のチルト調整脚部を用いることにより、装置の製造コストを抑えながら、小型化を図ることができる。このチルト調整脚部は、回動軸を中心として略９０゜回動させることにより、その姿勢を第１の姿勢から第２の姿勢に切り替えることができるので、チルト調整脚部を装置の未使用時には第１の収納凹部に、使用時には第２の収納凹部に容易に収納することができる。また、チルト調整脚部が第２の姿勢をとるとき、チルト調整脚部にかかる荷重が脚支持部によって支持されるので、装置の荷重を支えるために必要な荷重耐性を容易に確保することができる。さらに、固定リングを弛めることにより、外筒部材に対する内筒部材の出し入れが自在となり、固定リングを締めることによりその固定が可能となる。これにより、装置本体の傾きを迅速かつ容易に調整できるようになる。
【００２５】
請求項２の発明によれば、簡素な構成のチルト調整脚部を用いることにより、装置の製造コストを抑えながら、小型化を図ることができる。このチルト調整脚部は、回動軸を中心として略９０゜回動させることにより、その姿勢を第１の姿勢から第２の姿勢に切り替えることができるので、チルト調整脚部を装置の未使用時には第１の収納凹部に、使用時には第２の収納凹部に容易に収納することができる。
【００２６】
請求項３の発明によれば、チルト調整脚部が第２の姿勢をとるとき、チルト調整脚部にかかる荷重が脚支持部によって支持されるので、装置の荷重を支えるために必要な荷重耐性を容易に確保することができる。
【００２７】
請求項４の発明によれば、内筒部材の凹凸部と外筒部材の係合爪とが係合するので、外筒部材に対する内筒部材の摺動が防止され、チルト調整脚部の荷重耐性をさらに高めることができる。
【図面の簡単な説明】
【図１】本発明の一実施形態による画像表示プロジェクタ装置の使用時における正面図。
【図２】同装置の未使用時における底面図。
【図３】（ａ）は同装置の使用時におけるチルト調整脚部及びその周辺部の底面図、（ｂ）は未使用時における同チルト調整脚部及びその周辺部の底面図。
【図４】同チルト調整脚部を収納する要領を示した正面図。
【図５】同チルト調整脚部を伸縮させる要領を示した斜視図。
【図６】（ａ）は同チルト調整脚部の構造を示した図、（ｂ）はその要部を拡大して示した断面図。
【図７】（ａ）は同装置に適用される別のチルト調整脚部の構造を示した図、（ｂ）はその要部を拡大して示した断面図。
【符号の説明】
１    画像表示プロジェクタ装置
３    チルト調整脚部
４    底部
６    外筒部材
７    内筒部材
８    固定リング
９    回動軸
１１    第１の収納凹部
１２    第２の収納凹部
１５    ガイド溝
１６    脚支持部
２５    切り欠き
２７    凹凸部
２８    係合爪
Ｚ    載置面
【図１】
2005037474.tif 000003
【図２】
2005037474.tif 000004
【図３】
2005037474.tif 000005
【図４】
2005037474.tif 000006
【図５】
2005037474.tif 000007
【図６】
2005037474.tif 000008
【図７】
2005037474.tif 000009